【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
所定のページ記述言語で記述されたページデータの処理を行う印刷データ処理装置であって、
オブジェクトで表現されるページ構成要素を印刷物中へ配置する際の配置条件情報を、オブジェクトごとに設定する配置条件情報設定手段と、
前記配置条件情報に従って前記ページデータ中にオブジェクトをページ構成要素として合成することにより、新たなページデータを生成するページデータ生成手段と、
を備え、
前記配置条件情報設定手段は、前記ページデータのそれぞれのページのページ内容に関連付けて、前記オブジェクトのページごとの合成内容を前記配置条件情報として設定可能であり、前記ページデータに複数のオブジェクトが配置される場合には、一のオブジェクトについての前記それぞれのページにおける配置条件情報を、他のオブジェクトの配置条件情報に関連付けて設定可能である、
ことを特徴とする印刷データ処理装置。
【請求項２】
請求項１に記載の印刷データ処理装置であって、
関連づけの対象とされる前記他のオブジェクトの配置条件情報が、それぞれのページにおける当該他のオブジェクトの合成の有無についての情報である、
ことを特徴とする印刷データ処理装置。
【請求項３】
請求項１または請求項２に記載の印刷データ処理装置であって、
関連づけの対象とされる前記他のオブジェクトの配置条件情報が、それぞれのページにおける当該他のオブジェクトの書式についての情報である、
ことを特徴とする印刷データ処理装置。
【請求項４】
請求項１に記載の印刷データ処理装置であって、
前記配置条件情報設定手段は、前記ページデータのページ本文の記述内容に関連付けて、前記オブジェクトのページごとの合成内容を前記配置条件情報として設定可能である、
ことを特徴とする印刷データ処理装置。
【請求項５】
請求項１ないし請求項４のいずれかに記載の印刷データ処理装置であって、
前記ページデータ生成手段が、
前記ページデータが表現する印刷物に前記ページ構成要素を配置した状態を所定の表示手段において視認可能に表現する一時データを生成する一時データ生成手段と、
前記一時データを、前記ページ記述言語で記述された新たなページデータに変換するページデータ変換手段と、
所定の更新タイミング情報に従って、前記一時データ生成手段に前記一時データの生成を促す更新指示処理手段と、
を備えることを特徴とする印刷データ処理装置。
【請求項６】
請求項１ないし請求項５のいずれかに記載の印刷データ処理装置であって、
所定の印刷装置における前記ページデータに基づく出力処理に際して前記印刷装置を制御する制御手段、
をさらに備えることを特徴とする印刷データ処理装置。
【請求項７】
a)所定のページデータに基づいて印刷を行う印刷装置と、
b)所定のページ記述言語で記述されたページデータに対し所定の処理を行う印刷データ処理装置であって、
b-1)オブジェクトで表現されるページ構成要素を印刷物中へ配置する際の配置条件情報を、オブジェクトごとに設定する配置条件情報設定手段と、
b-2)前記配置条件情報に従って前記ページデータ中にオブジェクトをページ構成要素として合成することにより、新たなページデータを生成するページデータ生成手段と、
b-3)前記印刷装置における前記ページデータに基づく出力処理に際して前記印刷装置を制御する制御手段と、
を備え、
前記配置条件情報設定手段は、前記ページデータのそれぞれのページの内容に関連付けて前記オブジェクトのページごとの合成内容を前記配置条件情報として設定可能であり、前記ページデータに複数のオブジェクトが配置される場合には、一のオブジェクトについての前記それぞれのページにおける配置条件情報を、他のオブジェクトの配置条件情報に関連付けて設定可能である、
ことを特徴とする印刷データ処理装置、
とを備えることを特徴とする印刷システム。
【請求項８】
請求項７に記載の印刷システムであって、
前記配置条件情報設定手段は、前記ページデータのページ本文の記述内容に関連付けて、前記オブジェクトのページごとの合成内容を前記配置条件情報として設定可能である、
ことを特徴とする印刷システム。
【請求項９】
所定のページ記述言語で記述されたページデータに対し所定のページ構成要素を表すオブジェクトを合成するオブジェクト合成方法であって、
前記オブジェクトで表現されるページ構成要素を印刷物中へ配置する際の配置条件情報を、前記オブジェクトごとに設定する配置条件情報設定工程と、
前記配置条件情報に従って前記ページデータ中にオブジェクトをページ構成要素として合成することにより、新たなページデータを生成するページデータ生成工程と、
を備え、
前記配置条件情報設定工程においては、前記ページデータのそれぞれのページの内容に関連付けて前記オブジェクトのページごとの合成内容を前記配置条件情報として設定するとともに、前記ページデータに複数のオブジェクトが配置される場合には、一のオブジェクトについての前記それぞれのページにおける配置条件情報を、他のオブジェクトの配置条件情報に関連付けて設定する、
ことを特徴とするページデータへのオブジェクト合成方法。
【請求項１０】
請求項９に記載のオブジェクト合成方法であって、
関連づけの対象とされる前記他のオブジェクトの配置条件情報が、それぞれのページにおける当該他のオブジェクトの合成の有無についての情報である、
ことを特徴とするページデータへのオブジェクト合成方法。
【請求項１１】
請求項９または請求項１０に記載のオブジェクト合成方法であって、
関連づけの対象とされる前記他のオブジェクトの配置条件情報が、それぞれのページにおける当該他のオブジェクトの書式についての情報である、
ことを特徴とするページデータへのオブジェクト合成方法。
【請求項１２】
請求項９に記載のオブジェクト合成方法であって、
前記配置条件情報設定工程においては、前記ページデータのページ本文の記述内容に関連付けて、前記オブジェクトのページごとの合成内容を前記配置条件情報として設定する、
ことを特徴とするページデータへのオブジェクト合成方法。
【請求項１３】
請求項９ないし請求項１２のいずれかに記載のオブジェクト合成方法であって、
前記ページデータ生成工程が、
前記ページデータが表現する印刷物に前記ページ構成要素を配置した状態を所定の表示手段において視認可能に表現する一時データを生成する一時データ生成工程と、
前記一時データを、前記ページ記述言語で記述された新たなページデータに変換するページデータ変換工程と、
所定の更新タイミング情報に従って、前記一時データ生成手段に前記一時データの生成を促す更新指示処理工程と、
を備えることを特徴とするページデータへのオブジェクト合成方法。
【請求項１４】
コンピュータが有するＣＰＵとメモリとを使用することにより、前記コンピュータを請求項１ないし請求項６のいずれかに記載の印刷データ処理装置として機能させることを特徴とするプログラム。
【手続補正２】
【補正対象書類名】明細書
【補正対象項目名】００１０
【補正方法】変更
【補正の内容】
【００１０】
上記課題を解決するため、請求項１の発明は、所定のページ記述言語で記述されたページデータの処理を行う印刷データ処理装置であって、オブジェクトで表現されるページ構成要素を印刷物中へ配置する際の配置条件情報を、オブジェクトごとに設定する配置条件情報設定手段と、前記配置条件情報に従って前記ページデータ中にオブジェクトをページ構成要素として合成することにより、新たなページデータを生成するページデータ生成手段と、を備え、前記配置条件情報設定手段は、前記ページデータのそれぞれのページのページ内容に関連付けて、前記オブジェクトのページごとの合成内容を前記配置条件情報として設定可能であり、前記ページデータに複数のオブジェクトが配置される場合には、一のオブジェクトについての前記それぞれのページにおける配置条件情報を、他のオブジェクトの配置条件情報に関連付けて設定可能である、ことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２の発明は、請求項１に記載の印刷データ処理装置であって、関連づけの対象とされる前記他のオブジェクトの配置条件情報が、それぞれのページにおける当該他のオブジェクトの合成の有無についての情報である、ことを特徴とする。
【手続補正５】
【補正対象書類名】明細書
【補正対象項目名】００１３
【補正方法】変更
【補正の内容】
【００１３】
請求項３の発明は、請求項１または請求項２に記載の印刷データ処理装置であって、関連づけの対象とされる前記他のオブジェクトの配置条件情報が、それぞれのページにおける当該他のオブジェクトの書式についての情報である、ことを特徴とする。
【手続補正６】
【補正対象書類名】明細書
【補正対象項目名】００１４
【補正方法】変更
【補正の内容】
【００１４】
請求項４の発明は、請求項１に記載の印刷データ処理装置であって、前記配置条件情報設定手段は、前記ページデータのページ本文の記述内容に関連付けて、前記オブジェクトのページごとの合成内容を前記配置条件情報として設定可能である、ことを特徴とする。
【手続補正７】
【補正対象書類名】明細書
【補正対象項目名】００１５
【補正方法】変更
【補正の内容】
【００１５】
請求項５の発明は、請求項１ないし請求項４のいずれかに記載の印刷データ処理装置であって、前記ページデータ生成手段が、前記ページデータが表現する印刷物に前記ページ構成要素を配置した状態を所定の表示手段において視認可能に表現する一時データを生成する一時データ生成手段と、前記一時データを、前記ページ記述言語で記述された新たなページデータに変換するページデータ変換手段と、所定の更新タイミング情報に従って、前記一時データ生成手段に前記一時データの生成を促す更新指示処理手段と、を備えることを特徴とする。
【手続補正８】
【補正対象書類名】明細書
【補正対象項目名】００１６
【補正方法】変更
【補正の内容】
【００１６】
請求項６の発明は、請求項１ないし請求項５のいずれかに記載の印刷データ処理装置であって、所定の印刷装置における前記ページデータに基づく出力処理に際して前記印刷装置を制御する制御手段、をさらに備えることを特徴とする。
【手続補正９】
【補正対象書類名】明細書
【補正対象項目名】００１７
【補正方法】変更
【補正の内容】
【００１７】
請求項７の発明は、a)所定のページデータに基づいて印刷を行う印刷装置と、b)所定のページ記述言語で記述されたページデータに対し所定の処理を行う印刷データ処理装置であって、b-1)オブジェクトで表現されるページ構成要素を印刷物中へ配置する際の配置条件情報を、オブジェクトごとに設定する配置条件情報設定手段と、b-2)前記配置条件情報に従って前記ページデータ中にオブジェクトをページ構成要素として合成することにより、新たなページデータを生成するページデータ生成手段と、b-3)前記印刷装置における前記ページデータに基づく出力処理に際して前記印刷装置を制御する制御手段と、を備え、前記配置条件情報設定手段は、前記ページデータのそれぞれのページの内容に関連付けて前記オブジェクトのページごとの合成内容を前記配置条件情報として設定可能であり、前記ページデータに複数のオブジェクトが配置される場合には、一のオブジェクトについての前記それぞれのページにおける配置条件情報を、他のオブジェクトの配置条件情報に関連付けて設定可能である、ことを特徴とする印刷データ処理装置、とを備えることを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
請求項８の発明は、請求項７に記載の印刷システムであって、前記配置条件情報設定手段は、前記ページデータのページ本文の記述内容に関連付けて、前記オブジェクトのページごとの合成内容を前記配置条件情報として設定可能である、ことを特徴とする。
【手続補正１２】
【補正対象書類名】明細書
【補正対象項目名】００２０
【補正方法】変更
【補正の内容】
【００２０】
請求項９の発明は、所定のページ記述言語で記述されたページデータに対し所定のページ構成要素を表すオブジェクトを合成するオブジェクト合成方法であって、前記オブジェクトで表現されるページ構成要素を印刷物中へ配置する際の配置条件情報を、前記オブジェクトごとに設定する配置条件情報設定工程と、前記配置条件情報に従って前記ページデータ中にオブジェクトをページ構成要素として合成することにより、新たなページデータを生成するページデータ生成工程と、を備え、前記配置条件情報設定工程においては、前記ページデータのそれぞれのページの内容に関連付けて前記オブジェクトのページごとの合成内容を前記配置条件情報として設定するとともに、前記ページデータに複数のオブジェクトが配置される場合には、一のオブジェクトについての前記それぞれのページにおける配置条件情報を、他のオブジェクトの配置条件情報に関連付けて設定する、ことを特徴とする。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
請求項１０の発明は、請求項９に記載のオブジェクト合成方法であって、関連づけの対象とされる前記他のオブジェクトの配置条件情報が、それぞれのページにおける当該他のオブジェクトの合成の有無についての情報である、ことを特徴とする。
【手続補正１５】
【補正対象書類名】明細書
【補正対象項目名】００２３
【補正方法】変更
【補正の内容】
【００２３】
請求項１１の発明は、請求項９または請求項１０に記載のオブジェクト合成方法であって、関連づけの対象とされる前記他のオブジェクトの配置条件情報が、それぞれのページにおける当該他のオブジェクトの書式についての情報である、ことを特徴とする。
【手続補正１６】
【補正対象書類名】明細書
【補正対象項目名】００２４
【補正方法】変更
【補正の内容】
【００２４】
請求項１２の発明は、請求項９に記載のオブジェクト合成方法であって、前記配置条件情報設定工程においては、前記ページデータのページ本文の記述内容に関連付けて、前記オブジェクトのページごとの合成内容を前記配置条件情報として設定する、ことを特徴とする。
【手続補正１７】
【補正対象書類名】明細書
【補正対象項目名】００２５
【補正方法】変更
【補正の内容】
【００２５】
請求項１３の発明は、請求項９ないし請求項１２のいずれかに記載のオブジェクト合成方法であって、前記ページデータ生成工程が、前記ページデータが表現する印刷物に前記ページ構成要素を配置した状態を所定の表示手段において視認可能に表現する一時データを生成する一時データ生成工程と、前記一時データを、前記ページ記述言語で記述された新たなページデータに変換するページデータ変換工程と、所定の更新タイミング情報に従って、前記一時データ生成手段に前記一時データの生成を促す更新指示処理工程と、を備えることを特徴とする。
【手続補正１８】
【補正対象書類名】明細書
【補正対象項目名】００２６
【補正方法】変更
【補正の内容】
【００２６】
請求項１４の発明は、コンピュータが有するＣＰＵとメモリとを使用することにより、前記コンピュータを請求項１ないし請求項６のいずれかに記載の印刷データ処理装置として機能させることを特徴とする。
【手続補正１９】
【補正対象書類名】明細書
【補正対象項目名】００２７
【補正方法】変更
【補正の内容】
【００２７】
請求項１ないし請求項１４の発明によれば、ページデータに対してあるオブジェクトをページ構成要素として追加配置する場合に、各ページにおける該オブジェクトの配置に必要な条件が、それぞれのページのページ内容に関連付けて定められる。これにより、ページ内容に応じて記述内容が定まるオブジェクトを配置する場合に、あらかじめ関連づけを行っておくことで、その参照元の変更に伴う当該オブジェクトの変更処理を、マニュアルで逐一行う必要がなくなり、効率的かつ確実な処理が実現される。
【手続補正２０】
【補正対象書類名】明細書
【補正対象項目名】００２８
【補正方法】変更
【補正の内容】
【００２８】
特に、請求項１ないし請求項３、請求項７、および請求項９ないし請求項１１の発明によれば、ページデータに対してあるオブジェクトをページ構成要素として追加配置する場合に、各ページにおける該オブジェクトの配置に必要な条件を、それぞれのページに配置が予定される他のオブジェクトの配置条件に関連付けて定めることができる。これにより、他のオブジェクトの配置状態に応じて配置状態が定まるオブジェクトを配置する場合に、あらかじめ当該他のオブジェクトを参照元として関連づけを行っておくことで、その参照元の変更に伴う当該オブジェクトの変更処理を、マニュアルで逐一行う必要がなくなり、効率的かつ確実な処理が実現される。
【手続補正２１】
【補正対象書類名】明細書
【補正対象項目名】００２９
【補正方法】変更
【補正の内容】
【００２９】
特に、請求項２および請求項１０の発明によれば、他のオブジェクトの配置の有無に対応して配置の可否が定まるオブジェクトについて、参照元となるオブジェクトの配置の有無の変更に伴う変更処理を、マニュアルで逐一行う必要がなくなり、効率的かつ確実な処理が実現される。
【手続補正２２】
【補正対象書類名】明細書
【補正対象項目名】００３０
【補正方法】変更
【補正の内容】
【００３０】
特に、請求項３および請求項１１の発明によれば、他のオブジェクトの書式に対応して配置の際の書式が定まるオブジェクトについて、参照元となるオブジェクトの書式の変更に伴う変更処理を、マニュアルで逐一行う必要がなくなり、効率的かつ確実な処理が実現される。
【手続補正２３】
【補正対象書類名】明細書
【補正対象項目名】００３１
【補正方法】変更
【補正の内容】
【００３１】
また、請求項４、請求項８、および請求項１２の発明によれば、ページデータに対してあるオブジェクトをページ構成要素として追加配置する場合に、各ページにおける該オブジェクトの配置に必要な条件を、ページ本文の記述内容に関連付けて定めることができる。これにより、ページ本文の記述内容に対応した表現を実現するオブジェクトを配置する場合、ページ本文の記述内容が変更されたにも関わらず変更前のオブジェクトが配置されたままになる状態を、マニュアルで逐一確認せずとも回避することができるので、効率的かつ確実な配置処理が実現される。
【手続補正２４】
【補正対象書類名】明細書
【補正対象項目名】００３２
【補正方法】変更
【補正の内容】
【００３２】
また、請求項５および請求項１３の発明によれば、オブジェクトの最新の配置状態を容易に視認できるので、配置内容の変更処理が容易となるとともに、配置状態を確定させたうえで新たなページデータを生成することができるので、効率的かつ確実なオブジェクトの配置処理が実現される。